(57)【特許請求の範囲】
【請求項１】
導電性の電極部と、当該電極部を介して測定対象体によって押圧された際にオン状態またはオフ状態に操作される自動復帰型のスイッチ手段と、当該スイッチ手段が操作されたときに前記電極部および所定部位間の電気的パラメータを測定部に対して測定させると共にその測定結果を報知手段に対して報知させる制御部とを備えた測定装置であって、
前記制御部は、前記スイッチ手段の操作時から所定時間が経過したこと、および測定中の前記電気的パラメータについての測定値が安定したことのいずれかの条件を満たす以前に前記スイッチ手段が自動復帰したときに、前記報知手段に対して前記測定結果として測定エラーを報知させることを特徴とする測定装置。
【請求項２】
前記制御部は、前記報知手段に対して、前記スイッチ手段が自動復帰した時点から所定時間継続して前記測定結果を報知させることを特徴とする請求項１記載の測定装置。
【請求項３】
前記制御部は、前記スイッチ手段のスイッチ信号に基づいて前記測定部および前記報知手段の少なくとも一方の起動を制御することを特徴とする請求項１または２記載の測定装置。
【発明の詳細な説明】
【０００１】
【発明の属する技術分野】
本発明は、電極部が押圧された際に、その電極部および所定部位間の電気的パラメータの測定を開始する測定装置に関するものである。
【０００２】
【従来の技術】
この種の測定装置として、出願人は、図２に示す抵抗計３１を既に開発している。この抵抗計３１は、例えば測定対象者の指先および足裏の間の人体抵抗を測定可能に構成された測定装置であって、抵抗計本体３１ａと、測定対象者の足裏に接触可能に配設されると共に抵抗計本体３１ａに接続された図外の電極板とを備えている。この場合、抵抗計本体３１ａには、測定対象者の指先が接触した際にその指先に電気的に導通するタッチパネル２と、測定値を表示する表示部４とが配設されている。この抵抗計３１では、測定対象者が電極板の上に乗った状態でタッチパネル２を指先で押圧すると、抵抗計３１の電源が投入された後、抵抗値の測定が自動的に開始される。この状態で、タッチパネル２を例えば１秒間押圧し続けることにより、タッチパネル２および電極板の間（つまり、指先および足裏間）の抵抗値測定が完了し、その測定値が表示部４に表示される。この場合、表示部４に表示された測定値は、測定対象者がタッチパネル２から指先を離すまで表示され、タッチパネル２から指先を離した際には、抵抗計３１の電源が遮断されて表示部４の表示が消去される。
【０００３】
【発明が解決しようとする課題】
ところが、出願人が既に開発している抵抗計３１には、以下の改善すべき課題がある。すなわち、この抵抗計３１では、測定対象者が測定完了までの１秒間タッチパネル２を指先で押圧することにより、指先および足裏間の抵抗値が測定されて、その測定値が表示部４に表示される。しかし、測定が完了する以前にタッチパネル２の押圧力が変化したときには、指先とタッチパネル２との間の接触抵抗が変動する。かかる場合には、抵抗値の正確な測定が困難になり、誤った抵抗値が表示部４に表示されるおそれがある。また、測定が完了する以前にタッチパネル２から指先が離されたときには、電源が遮断されて測定が停止されてしまうため、操作に不慣れな測定対象者にとっては、如何なる理由で表示部４に測定値が表示されないのかを判別することが困難となる。さらに、抵抗値の測定が完了した後においても、タッチパネル２から指先を離すと、電源が遮断され、表示部４に表示されていた測定値が消去されてしまう。したがって、測定対象者は、測定値を読み取るまでタッチパネル２を押圧し続けなければならず、操作が煩雑となっているという課題がある。
【０００４】
本発明は、かかる課題に鑑みてなされたものであり、電気的パラメータを正確に測定可能な測定装置を提供することを主目的とする。また、測定結果を確認し易い測定装置を提供することを他の目的とする。
【０００５】
【課題を解決するための手段】
上記目的を達成すべく請求項１記載の測定装置は、導電性の電極部と、電極部を介して測定対象体によって押圧された際にオン状態またはオフ状態に操作される自動復帰型のスイッチ手段と、スイッチ手段が操作されたときに電極部および所定部位間の電気的パラメータを測定部に対して測定させると共にその測定結果を報知手段に対して報知させる制御部とを備えた測定装置であって、制御部は、スイッチ手段の操作時から所定時間が経過したこと、および測定中の電気的パラメータについての測定値が安定したことのいずれかの条件を満たす以前にスイッチ手段が自動復帰したときに、報知手段に対して測定結果として測定エラーを報知させることを特徴とする。なお、本発明における測定結果の報知には、正常に測定されたときの測定値の報知、および正常に測定されなかったときのエラーの報知が含まれる。また、その報知方法は、文字や記号の表示による報知、音による報知、ＬＥＤなどの点灯または点滅などによる光による報知などが含まれる。
【０００６】
請求項２記載の測定装置は、請求項１記載の測定装置において、制御部は、報知手段に対して、スイッチ手段が自動復帰した時点から所定時間継続して測定結果を報知させることを特徴とする。
【０００７】
請求項３記載の測定装置は、請求項１または２記載の測定装置において、制御部は、スイッチ手段のスイッチ信号に基づいて測定部および報知手段の少なくとも一方の起動を制御することを特徴とする。
【０００８】
【発明の実施の形態】
以下、添付図面を参照して、本発明に係る測定装置を抵抗計１に適用した好適な発明の実施の形態について説明する。なお、出願人が既に開発している抵抗計３１と共通の構成要素については、共通の符号を付して重複した説明を省略する。
【０００９】
最初に、抵抗計１の構成について、図１を参照して説明する。
【００１０】
抵抗計１は、同図に示すように、抵抗計本体１ａと、抵抗計本体１ａに接続され導電性ゴムなどの導電性材料で形成された電極板１ｂとを備えて構成され、抵抗計本体１ａは、タッチパネル２、制御部３、表示部４、操作部５、定電流源６、電圧測定部７、ＲＡＭ８、ＲＯＭ９、およびモーメンタリー型（自動復帰型）のプッシュスイッチＳＷを備えて構成されている。この場合、タッチパネル２は、抵抗計本体１ａの正面パネルに配設され、測定対象者Ｈの指先が押し付けられた際には、その指先に電気的に導通すると共にプッシュスイッチＳＷを押圧する。
【００１１】
制御部３は、待機時（非測定時）にはスリープモードを維持し、タッチパネル２が押圧されてプッシュスイッチＳＷからオン信号ＳONが出力された際には、通常作動モードに移行すると共に各部に対する起動を制御する。また、この際には、制御部３は、定電流源６および電圧測定部７を制御することにより、タッチパネル２および電極板１ｂ間の抵抗値を測定させ、その測定値や後述する測定エラー表示を表示部４に表示させる。さらに、制御部３は、プッシュスイッチＳＷに対する押圧が解除されてオン信号ＳONの出力が停止された際には、所定時間（例えば、５秒）通常動作モードを維持すると共に、その所定時間だけ継続して測定値や測定エラー表示を表示部４に表示させる。表示部４は、制御部３の制御下で測定値や測定エラー表示などを表示する。操作部５は、抵抗計１の動作条件を設定するための複数のキーが配列されて抵抗計本体１ａの正面パネルに配設されている。定電流源６は、制御部３の制御下で、タッチパネル２および電極板１ｂに微弱な直流定電流を出力する。電圧測定部７は、タッチパネル２および電極板１ｂ間の電圧を所定時間おきに繰り返し測定し、その測定値を制御部３に出力する。ＲＡＭ８は、制御部３の演算結果を一時的に記憶し、ＲＯＭ９は、制御部３の動作プログラムを記憶する。
【００１２】
次に、抵抗計１を用いた人体抵抗の測定方法について、図１を参照して具体的に説明する。
【００１３】
まず、測定対象者Ｈが、裸足で電極板１ｂに乗った状態で、指先でタッチパネル２を押圧する。この状態では、測定対象者Ｈの指先とタッチパネル２とが密着して電気的に接続されると共に、その押圧でプッシュスイッチＳＷがオン状態に操作される。これに伴い、制御部３は、プッシュスイッチＳＷから出力されるオン信号ＳONを検知し、定電流源６および電圧測定部７を起動することにより、定電流源６から測定用の電流ＩH を出力させると共に、電圧測定部７に対して電圧測定を開始させる。この際に、定電流源６から出力された電流ＩH は、タッチパネル２から指先を介して測定対象者Ｈを導通し、測定対象者Ｈの足裏から電極板１ｂに導通する。したがって、人体抵抗値に電流ＩH の電流値を乗算した電圧値が、タッチパネル２および電極板１ｂ間に発生する。このため、電圧測定部７は、タッチパネル２および電極板１ｂ間の電圧ＶH を所定時間おきに繰り返し測定して制御部３に出力する。一方、制御部３は、電流ＩH の電流値と、電圧測定部７によって測定された電圧ＶH とに基づいて、タッチパネル２および電極板１ｂ間の抵抗値、つまり、測定対象者Ｈの指先および足裏間の人体抵抗を繰り返して演算する。
【００１４】
この場合、繰り返し測定における測定値の変動幅が例えば±１０％の範囲内となる安定値を得るまでには、通常例えば１秒程度のウェイト時間が必要とされる。したがって、そのウェイト時間を経過する以前にタッチパネル２から測定対象者Ｈの指先が離されたときには、測定値の信頼性が低下する。また、そのウェイト時間を経過したときであっても、タッチパネル２に対する測定対象者Ｈの指先による押圧力が変化した場合には、その接触抵抗の変動に起因して測定値も変動する。したがって、この場合にも、その測定値の信頼性が低下する。このため、制御部３は、プッシュスイッチＳＷの操作時から所定時間（この例では１秒のウェイト時間）が経過したこと、および測定中の抵抗値が安定したことのいずれかの条件を満たす以前にプッシュスイッチＳＷによるオン信号ＳONの出力が停止したときには、定電流源６および電圧測定部７の作動を停止させた後、表示部４に対して測定エラー表示（例えば、「ＥＲＲＯＲ」のメッセージ）を例えば５秒間継続して表示させる（以下、この５秒の時間を「表示維持時間」ともいう）。次いで、制御部３は、その表示維持時間が経過した時点で、各部の電源を遮断した後、スリープモードに移行する。
【００１５】
この結果、誤った測定値の表示部４への表示が防止される。また、操作に不慣れな測定対象者Ｈに対しても、表示維持時間の間継続して測定エラー表示を表示することにより、測定値が表示部４に表示されない理由を迅速かつ容易に認識させることができる。この後、測定対象者Ｈが、タッチパネル２を再び押圧操作して測定を実行することにより、正しい抵抗値が測定され、かつ表示部４に表示される。
【００１６】
一方、測定が開始されてから１秒間、プッシュスイッチＳＷのオン信号ＳONが連続して出力され、かつその測定値が安定しているときには、制御部３は、測定が正常に実行されたものと判別して、測定値を表示部４に数値表示させる。この後、タッチパネル２から測定対象者Ｈの指先が離れると、制御部３は、定電流源６および電圧測定部７の作動を停止させた後、表示部４に対して測定値を表示維持時間の間継続して表示させる。次いで、その表示維持時間が経過した時点で、各部の電源を遮断した後、スリープモードに移行する。この場合、この抵抗計１では、操作部５の所定キーを操作することにより、表示維持時間を任意に設定することができる。したがって、例えば測定値を長時間表示し続ける必要がないときには、表示維持時間を短めに設定することにより、省エネルギー化を図ることができる。また、例えば表示された抵抗値を記録用紙に転記するような場合には、表示時時間を長目に設定することにより、測定対象者Ｈは、慌てずに測定値を確実に転記することができる。
【００１７】
このように、この抵抗計１では、測定値の信頼性が低いおそれのあるときに測定エラー表示を表示部４に表示させることにより、誤った測定を回避することができると共に、再度の測定を促すことができる。また、タッチパネル２から指先が離れても、測定値が表示維持時間の間継続して表示部４に表示されるため、測定値の読み取りが極めて容易となる。
【００１８】
なお、本発明は、上記した本発明の実施の形態に示した構成に限定されない。例えば、本発明の実施の形態ではタッチパネル２を押圧することによってプッシュスイッチＳＷがオン操作され、これに応じて各部が起動される例について説明したが、プッシュスイッチＳＷとは別の電源スイッチを設け、その電源スイッチによって装置全体の電源投入および電源遮断を切替制御可能に構成してもよい。また、測定値の測定方法についても、プッシュスイッチＳＷからオン信号ＳONが出力された時から所定時間（例えば１秒）を経過した時点で測定する方法を採用することもできる。この場合には、制御部３は、その所定時間を経過する以前にプッシュスイッチＳＷによるオン信号ＳONの出力が停止された時点で測定エラー表示を表示部４に表示させるのが好ましい。また、測定値の測定方法自体も限定されないのは勿論である。
【００１９】
さらに、本発明の実施の形態では、測定対象者Ｈの指先および足裏間の抵抗を測定する例について説明したが、抵抗計１による測定は指先および足裏間に限定されない。例えば、絶縁靴を履いた測定対象者Ｈの指先とその絶縁靴との間の絶縁抵抗や、人体に蓄電されている静電気量などを測定することもできるし、電流値や電圧値などを測定することもできる。
【００２０】
【発明の効果】
以上のように、請求項１記載の測定装置によれば、制御部が、スイッチ手段の操作時から所定時間が経過したこと、および測定中の電気的パラメータについての測定値が安定したことのいずれかの条件を満たす以前にスイッチ手段が自動復帰したときに、報知手段に対して測定結果として測定エラーを報知させることにより、電気的パラメータの誤測定を回避することができる。また、オペレータに対して測定エラーを報知することにより、再度の測定を促すことができる結果、電気的パラメータを正確に測定することができる。
【００２１】
また、請求項２記載の測定装置によれば、スイッチ手段が自動復帰した時点から所定時間経過時まで測定結果を報知することにより、測定結果または測定エラーのあった旨を確実に認識させることができる。
【００２２】
さらに、請求項３記載の測定装置によれば、制御部がスイッチ手段のスイッチ信号に基づいて測定部および報知手段の少なくとも一方の起動を制御することにより、測定装置の消費電力を低減することができる。
【図面の簡単な説明】
【図１】本発明の実施の形態に係る抵抗計１の構成を示す構成図である。
【図２】出願人が既に開発している抵抗計３１の外観図である。
【符号の説明】
１  抵抗計
１ｂ  電極板
２  タッチパネル
３  制御部
４  表示部
６  定電流源
７  電圧測定部
Ｈ  測定対象者
ＳＷ  プッシュスイッチ
【図１】
0004334708.tif 000002
【図２】
0004334708.tif 000003